(57)【要約】【課題】利用者が、Ｗｅｂサイト上で所定のコードを入力して送信するだけで、デジタル商品を簡易迅速に取得可能とすることである。【解決手段】本発明に係る商品提供サーバ２０は、注文コード受信部２１により、携帯電話１０から注文コード“１２３４６００３”を受信する。この受信を契機として、商品提供サーバ２０は、注文コード分析部２２により、携帯電話１０宛に送信すべきデジタル商品とその提供者であるＣＰを特定する。すなわち、注文コード分析部２２は、上記注文コードの上位５桁“１２３４６”を参照してＣＰを特定すると共に、下位３桁“００３”を参照してデジタル商品を特定する。その後、商品提供サーバ２０は、商品取得部２４により、特定されたデジタル商品をデジタル商品ＤＢ２３から取得し、商品送信部２５により携帯電話１０宛に送信する。【選択図】  図２
2004295243.tif 000002
【特許請求の範囲】
【請求項１】
利用者端末から送信されたコードを受信する受信手段と、
前記受信手段により受信されたコードを基に、前記利用者端末に対するデジタル商品の提供者と、当該提供者の提供するデジタル商品とを特定する特定手段と、
前記特定手段により特定された提供者から提供され、かつ、前記特定手段により特定されたデジタル商品を取得する取得手段と、
前記取得手段により取得されたデジタル商品を前記利用者端末宛に送信する送信手段と
を備えることを特徴とする商品提供サーバ。
【発明の詳細な説明】
【０００１】
【発明の属する技術分野】
本発明は、商品提供サーバに関する。
【０００２】
【従来の技術】
従来、電子商取引技術の発達に伴い、インターネット等のネットワークを経由して、電子データ化された所望の商品（以下、「デジタル商品」と記す。）を利用者に有償若しくは無償で提供するシステムが実用化されている。このようなシステムとしては、例えば、販売店の有する商品リストを利用者に提示した上で、該商品リストを参照して商品名及び数量を指定させる商品注文装置が開示されている（例えば、特許文献１。）。また、商品及び店舗に関する情報を利用者に提示した上で、これらの情報に対応するコードを指定させる電子商取引管理システムが開示されている（例えば、特許文献２。）。更に、商品提供者が、分類コードを用いて商品及び店舗を登録することにより、利用者による検索を容易にした商品購入方法が開示されている（例えば、特許文献３。）。
【０００３】
【特許文献１】
特開２００１−３２５４９０号公報
【特許文献２】
特開２００１−３５７２６３号公報
【特許文献３】
特開２００２−２３６６９４号公報
【０００４】
【発明が解決しようとする課題】
上記何れの従来技術に関しても、コード入力を用いて、煩雑な商品名、店舗名などの指定の簡略化を図っている。しかしながら、これらの従来技術は、商品を受注又は提供するまでに、商品若しくは店舗に関する情報を、ネットワークを介して利用者に提示するものである。このため、利用者は、商品を購入するためのＷｅｂサイトに一旦アクセスした後に、該Ｗｅｂサイト上において所望の商品を探し出す必要があり、その作業に手間と時間を要する。かかる難点は、上記Ｗｅｂサイトが多段の階層構造を有する場合には特に顕著であった。
【０００５】
そこで、本発明の課題は、利用者が、Ｗｅｂサイト上で所定のコードを入力して送信するだけで、デジタル商品を簡易迅速に取得可能とすることである。
【０００６】
【課題を解決するための手段】
上記課題を解決すべく、本発明に係る商品提供サーバは、利用者端末から送信されたコード（注文コード）を受信する受信手段と、前記受信手段により受信されたコードを基に、前記利用者端末に対するデジタル商品の提供者（例えばコンテンツプロバイダ）と、当該提供者の提供するデジタル商品とを特定する特定手段と、前記特定手段により特定された提供者から提供され、かつ、前記特定手段により特定されたデジタル商品を取得する取得手段と、前記取得手段により取得されたデジタル商品を前記利用者端末宛に送信する送信手段とを備える。
【０００７】
本発明によれば、商品提供サーバは、利用者端末から送信されたコードを受信したことを契機として、該コードに基づく商品提供者及びデジタル商品の特定、該デジタル商品の取得、並びに送信という一連の処理を実行する。かかる一連の処理は、利用者端末からの指示や要求を要せずに完了する。すなわち、利用者端末は、商品提供サーバ宛にコードを入力及び送信する処理を実行するだけで、デジタル商品を受信することができる。コードの入力は、デジタル商品を提供するための専用Ｗｅｂサイト上で行われる。したがって、利用者は、Ｗｅｂサイト上で所定のコードを入力するという簡易な操作で、デジタル商品を迅速に取得することが可能となる。
【０００８】
なお、前記取得手段により取得されるデジタル商品は、商品提供サーバ自体の有する格納手段に事前に格納されているデジタル商品のみならず、商品提供サーバとは別体に構成された外部装置（例えば、提供者の管理するサーバ装置）の格納手段に格納されているデジタル商品を含む。前者の場合には、商品提供サーバは、コードを受信する度に、外部装置に対して、デジタル商品の送信を要求する必要がなく、通信負荷や応答速度の観点から好適である。これに対して、後者の場合には、商品提供サーバは、取得が要求される可能性のある全てのデジタル商品を事前に保持しておく必要がないので、格納手段のデータ容量を節減できる。
【０００９】
【発明の実施の形態】
以下、添付図面を参照して、本発明の一実施形態における商品提供システムについて説明する。説明の前提として、本実施の形態では、本発明の課題であるデジタル商品の簡易迅速な取得を実現するために、インターネット経由で授受可能なデジタル商品を提供商品として想定する。
【００１０】
まず、図１を参照して、携帯電話１０の利用者が、所望のデジタル商品を決定してから入手するまでの手順を概略的に説明する。図１に示す様に、商品提供システム１においては、携帯電話１０は、仮想市場Ｍを介して、デジタル商品の提供者たるＣＰ（Ｃｏｎｔｅｎｔｓ  Ｐｒｏｖｉｄｅｒ）１〜ＣＰｘから提供されるデジタル商品を入手する。デジタル商品は、例えば、着信メロディ、待受け画面、ゲームであるが、有償、無償を問わない。有償の場合、購入したデジタル商品の代金は、個別に請求する、通信費用に含めて請求する等、任意である。
【００１１】
携帯電話１０の利用者は、雑誌や書籍などに掲載されているデジタル商品の中から、入手を希望するデジタル商品を探し、その商品の注文コードを知る。利用者は、デジタル商品を実際に入手することを決めると、仮想市場Ｍを提供するＷｅｂサイトにアクセスし、所定の入力項目Ｍ１に注文コードを入力する。入力された注文コードが送信されると（▲１▼）、該注文コードに対応するデジタル商品が携帯電話１０宛に送信される（▲２▼）。これにより、携帯電話１０の利用者は、所望のデジタル商品を容易に入手する。
【００１２】
続いて、図２〜図４を参照して、本発明に係る商品提供サーバ２０の構成を説明する。図２は、商品提供サーバ２０の機能的構成を示す図である。図２に示す様に、商品提供サーバ２０は、注文コード受信部２１（受信手段に対応）と、注文コード分析部２２（特定手段に対応）と、デジタル商品ＤＢ２３と、商品取得部２４（取得手段に対応）と、商品送信部２５（送信手段に対応）とにより構成されている。また、携帯電話１０（利用者端末に対応）は、注文コード入力部１１と、注文コード送信部１２と、商品受信部１３とを備える。
【００１３】
注文コード受信部２１は、携帯電話１０の注文コード送信部１２により入力された注文コードを基地局Ｂ、事業者通信網Ｎ２経由で受信する。本実施の形態では、注文コードは、例えば“１２３４６００３”という様に８桁の数字により構成され、その上位５桁は、商品提供サーバ２０の管理者と契約した商品提供主体（ＣＰ）の識別に使用される。また、下位３桁は、対応するＣＰの提供するデジタル商品の識別に使用される。以下、前者を「ＣＰコード」と記し、後者を「商品コード」と記す。
【００１４】
注文コード分析部２２は、注文コード受信部２１により入力された注文コードを分析する。詳細に関しては動作説明にて後述するが、注文コード分析部２２は、注文コードをその構成に従って、ＣＰコードと商品コードとに分離することにより、ＣＰ及びデジタル商品を特定する。
【００１５】
デジタル商品ＤＢ（ＤａｔａＢａｓｅ）２３には、デジタル商品が格納されている。デジタル商品ＤＢ２３におけるデータ格納例を図３に示す。図３に示す様に、デジタル商品ＤＢ２３は、ＣＰコード領域２３ａと商品コード領域２３ｂとデジタル商品領域２３ｃとを有する。ＣＰコード領域２３ａには、５桁の数字データ（例えば、“１２３４５”，“１２３４６”，“１２３４７”，・・・）がＣＰコードとして格納されており、商品コード領域２３ｂには、３桁の数字データ（例えば、“００１”，“００２”，“００３”，・・・）が商品コードとして格納されている。また、デジタル商品領域２３ｃには、ＣＰコードと商品コードとに対応するデジタル商品が格納されている。これにより、各コードが特定されることにより、送信すべきデジタル商品が確定する。
【００１６】
商品取得部２４は、注文コード分析部２２により特定されたＣＰとデジタル商品とに基づいて、デジタル商品ＤＢ２３からデジタル商品を取得する。
なお、本実施の形態では、各契約ＣＰ１〜ＣＰｘ（図１参照）から提供されたデジタル商品が、デジタル商品ＤＢ２３に予め格納されている場合を想定している。しかし、取得すべきデジタル商品がデジタル商品ＤＢ２３に格納されていない場合、あるいは商品提供サーバ２０がデジタル商品ＤＢ２３自体を有さない場合には、商品取得部２４が、各契約ＣＰ１〜ＣＰｘの管理サーバからインターネットＮ１（図１参照）経由でデジタル商品を取得するものとしてもよい。
【００１７】
商品送信部２５は、商品取得部２４により取得されたデジタル商品を、注文コードの送信元である携帯電話１０に送信する。デジタル商品の送信は、事業者通信網Ｎ２及び基地局Ｂ経由で行われる。
【００１８】
ここで、図４を参照して、商品提供サーバ２０のハードウェア構成について説明する。図４は、商品提供サーバ２０のハードウェア構成を示すブロック図である。図４に示す様に、商品提供サーバ２０は、物理的には、制御装置２０ａ、メモリ２０ｂ、格納装置２０ｃ、通信装置２０ｄ、入力装置２０ｅ、及び表示装置２０ｆを備えて構成される。これら各装置は、バス２０ｇを介して相互に各種信号の入出力が可能な様に電気的に接続されている。
【００１９】
具体的には、制御装置２０ａは例えばＣＰＵ（Ｃｅｎｔｒａｌ  Ｐｒｏｃｅｓｓｉｎｇ  Ｕｎｉｔ）であり、メモリ２０ｂはＲＡＭ（Ｒａｎｄｏｍ  Ａｃｃｅｓｓ  Ｍｅｍｏｒｙ）といった揮発性の半導体メモリである。格納装置２０ｃはＨＤＤ（Ｈａｒｄ  Ｄｉｓｃ  Ｄｒｉｖｅ）を始めとする不揮発性の磁気ディスクであり、通信装置２０ｄはＬＡＮ（Ｌｏｃａｌ  Ａｒｅａ  Ｎｅｔｗｏｒｋ）等の通信制御カード若しくはボードである。入力装置２０ｅは例えばキーボードやマウスであり、表示装置２０ｆはＬＣＤ（Ｌｉｑｕｉｄ  Ｃｒｙｓｔａｌ  Ｄｉｓｐｌａｙ）やＣＲＴ（ｃａｔｈｏｄｅ  ｒａｙ  ｔｕｂｅ）ディスプレイである。
【００２０】
上記ハードウェア構成と機能的構成との対応関係を以下に示す。商品提供サーバ２０に関して、デジタル商品ＤＢ２３の有する機能は、物理的な構成要素としての格納装置２０ｃにより実現される。注文コード受信部２１及び商品送信部２５の有する各機能は、通信装置２０ｄにより実現される。注文コード分析部２２及び商品取得部２４の有する各機能は、制御装置２０ａが所定のプログラムを実行することにより実現される。
【００２１】
次に、図５を参照して、商品提供システム１の動作を説明する。
まずＳ１では、携帯電話１０の注文コード入力部１１は、利用者による入力操作に従って、８桁の注文コード“１２３４６００３”を入力する。この入力は、商品提供専用のＷｅｂサイトに注文コード入力用に設けられた項目に対して行われる。
【００２２】
Ｓ２では、注文コード送信部１２が、Ｓ１で入力された注文コード“１２３４６００３”を、基地局Ｂ及び事業者通信網Ｎ２を経由して、携帯電話１０から商品提供サーバ２０宛に送信する。
【００２３】
Ｓ３では、商品提供サーバ２０の注文コード受信部２１は、Ｓ２で送信された注文コード“１２３４６００３”を受信する。
続いて、注文コード分析部２２は、Ｓ３で受信された注文コード“１２３４６００３”から、その上位５桁“１２３４６”をＣＰコードとして抽出する。これにより、携帯電話１０の利用者が送信を要求したデジタル商品の提供主体（ＣＰ）が特定される（Ｓ４）。
【００２４】
Ｓ５においては、Ｓ４と同様に、注文コード分析部２２は、Ｓ３で受信された注文コード“１２３４６００３”から、その下位３桁“００３”を商品コードとして抽出する。これにより、携帯電話１０の利用者が送信を要求したデジタル商品が特定される。
【００２５】
Ｓ６では、商品取得部２４は、Ｓ４で注文コードから抽出されたＣＰコードと商品コードとに基づいて、デジタル商品ＤＢ２３からデジタル商品を取得する。本実施の形態では、Ｓ１で“１２３４６００３”の注文コードが入力されているので、図３に示した様に、ＣＰコード“１２３４６”と商品コード“００３”とに対応する位置に格納されているデジタル商品Ｄ１が取得される。
【００２６】
Ｓ７では、商品送信部２５は、Ｓ６で取得されたデジタル商品Ｄ１を、Ｓ２における注文コードの送信元である携帯電話１０宛に送信する。
Ｓ８では、携帯電話１０の商品受信部１３は、Ｓ７で送信されたデジタル商品Ｄ１を受信する。
【００２７】
以上説明した様に、本実施形態における商品提供システム１によれば、商品提供サーバ２０は、携帯電話１０が送信した注文コードをＣＰコードと商品コードに分離することにより、携帯電話１０の利用者所望のＣＰとデジタル商品とを特定する。そして、商品提供サーバ２０は、当該ＣＰの提供する当該デジタル商品を、携帯電話１０宛に送信する。ネットワークを利用した従来の商品提供では、利用者は、Ｗｅｂサイトにアクセスした後に、商品を探索したり選択したりするための操作を更に行う必要があり、手間と時間が掛かった。しかし、商品提供システム１では、携帯電話１０の利用者は、雑誌などに掲載されているデジタル商品に付与された注文コードを入力して送信するという簡単な操作で、所望のデジタル商品を携帯電話１０に迅速に取り込むことができる。本商品提供技術は、商品やＣＰに関する情報がＷｅｂサイト上で階層的に掲載されている場合などに特に効果的である。
【００２８】
なお、本実施形態に記載の態様は、本発明に係る商品提供サーバの好適な一例であり、本発明はかかる態様に限定されるものではない。例えば、本実施形態では、利用者端末として携帯電話を想定して説明したが、これに限らず、ＰＤＡ（Ｐｅｒｓｏｎａｌ  Ｄｉｇｉｔａｌ  Ａｓｓｉｓｔａｎｃｅ）やパーソナルコンピュータ等、通信機能を備えた端末であればよい。更に、利用者端末は、端末自体に通信機能をもたないものであってもよく、この場合でも、クレイドル等の拡張機器を介してデータ通信が可能である。
【００２９】
【発明の効果】
本発明によれば、利用者が、Ｗｅｂサイト上で所定のコードを入力して送信するだけで、デジタル商品を簡易迅速に取得することが可能となる。
【図面の簡単な説明】
【図１】商品提供システムの概要を説明するための図である。
【図２】商品提供サーバの機能的構成を示す図である。
【図３】デジタル商品ＤＢ内部のデータ格納例を示す図である。
【図４】商品提供サーバのハードウェア構成を示す図である。
【図５】商品提供処理を説明するためのフローチャートである。
【符号の説明】
１…商品提供サーバ、１０…携帯電話、２０…商品提供サーバ、２１…注文コード受信部、２２…注文コード分析部、２３…デジタル商品ＤＢ、２４…商品取得部、２５…商品送信部
【図１】
2004295243.tif 000003
【図２】
2004295243.tif 000004
【図３】
2004295243.tif 000005
【図４】
2004295243.tif 000006
【図５】
2004295243.tif 000007